(57)【要約】【課題】利便性が高く、高効率かつ低コストであって操作拠点に拘束されない広域管理システムおよびそのプログラムを提供する。【解決手段】本発明の広域管理システムは、複数の監視・制御対象機器105間に共通して設定される複数の入出力ポイントが記憶される記憶手段111、112、113、114と、機器制御装置104を介して監視・制御対象機器105を監視または制御する制御装置101とを備え、制御装置101によって、記憶手段111、112、113、114に記憶される入出力ポイントのうちから任意の入出力ポイントが選択されるとともに該選択された入出力ポイントを有する複数の監視・制御対象機器105を機器制御装置104を介して選択された入出力ポイントを用いて一括して監視または制御している。【選択図】図８
2010015321.tif 000002
【特許請求の範囲】
【請求項１】
広域に設けられ複数の入出力ポイントを有する監視・制御対象機器および該監視・制御対象機器を監視または制御する機器制御装置が複数、通信ネットワークを介して接続される広域管理システムであって、
前記複数の監視・制御対象機器間に共通して設定される前記複数の入出力ポイントが記憶される記憶手段と、
前記機器制御装置を介して前記監視・制御対象機器を監視または制御する制御装置とを備え、
前記制御装置によって、前記記憶手段に記憶される前記入出力ポイントのうちから任意の入出力ポイントが選択されるとともに該選択された入出力ポイントを有する複数の前記監視・制御対象機器を前記機器制御装置を介して前記選択された入出力ポイントを用いて一括して監視または制御する
ことを特徴とする広域管理システム。
【請求項２】
前記一括して監視または制御される監視・制御対象機器は、前記制御装置によって選択される
ことを特徴とする請求項１に記載の広域管理システム。
【請求項３】
前記制御装置によって、前記記憶手段に記憶される前記入出力ポイントのうちから任意の入出力ポイントが選択され、かつ、該選択された入出力ポイントの状態名称が所望の状態名称に変更され前記記憶手段に記憶される
ことを特徴とする請求項１または請求項２記載の広域管理システム。
【請求項４】
前記通信ネットワークは、有線または無線である
ことを特徴とする請求項１から請求項３のうちの何れか一項に記載の広域管理システム。
【請求項５】
広域に設けられ複数の入出力ポイントを有する監視・制御対象機器および該監視・制御対象機器を監視または制御する機器制御装置が複数、通信ネットワークを介して接続される広域管理システムのプログラムであって、
コンピュータに、
複数の前記監視・制御対象機器間に共通して設定される前記複数の入出力ポイントが記憶手段に記憶される第１手順、
前記記憶手段に記憶される前記入出力ポイントのうちから任意の入出力ポイントが選択される第２手順、および
該選択された入出力ポイントを有する複数の前記監視・制御対象機器を前記機器制御装置により前記選択された入出力ポイントを用いて一括して監視または制御する第３手順
を実行させるための広域管理システムのプログラム。
【請求項６】
前記第３手順において一括して監視または制御される監視・制御対象機器を、全前記監視・制御対象機器のうちから選択する第４手順
を実行させるための請求項５に記載の広域管理システムのプログラム。
【請求項７】
前記記憶手段に記憶される前記入出力ポイントのうちから任意の入出力ポイントが選択される第５手順、
該選択された入出力ポイントの状態名称が所望の状態名称に変更される第６手順、および
該変更された入出力ポイントの状態名称が前記記憶手段に記憶される第７手順
を実行させるための請求項５または請求項６に記載の広域管理システムのプログラム。
【発明の詳細な説明】
【技術分野】
【０００１】
本発明は、マルチベンダー化やネットワーク化が進行したビルや工場における機器を監視・制御する広域管理システムおよびそのプログラムに関する。
【背景技術】
【０００２】
従来より、リモートコントローラ（以下、リモコンと称す）に代表されるように、屋内の機器を遠隔操作する技術がある。
近年、異なる複数種類の家電機器などを操作するマルチリモコン技術が特許文献１に開示されている。
【０００３】
また、特許文献２には、ネットワークに複数台接続された家電機器を、共用のリモートコントロールユニットで任意の機器から他の機器を制御することを可能にしており、一方、特許文献３には、仮想機器を操作することによって監視・制御対象機器の情報を変更および／または制御することが記載されている。
【０００４】
特許文献４には、外部より自由なコマンド情報を入出力する統合制御装置を持つ学習型マルチリモコンが記載されている。
【特許文献１】特開昭６３−２５６０９６号公報(特許請求の範囲、第１図等)
【特許文献２】特開２０００−６９５７７号公報(段落００２４、００３０、００３５、図１ｂ等)
【特許文献３】特開２００２−１５７１７８号公報(段落００３４〜００３６、図６、図７等)
【特許文献４】特開平８−６５７６４号公報(段落００２３、００２５、図１等)
【発明の開示】
【発明が解決しようとする課題】
【０００５】
ところで、近年、ビルや工場における機器はマルチベンダー化やネットワーク化が進行し、複雑に絡み合った機器を効率的に監視・制御する必要性が求められている。
また、同時に、利便性が高く低コストなビル群管理を実現するような機器管理システムが望まれている。
【０００６】
しかし、有線・無線を問わずネットワーク接続された単一のマンマシン装置により、複数台接続された監視・制御対象機器の入出力ポイントを一括で制御する点については、特許文献１〜３には、記載がない。また、特許文献４には、外部より自由なコマンド情報を入出力する学習型マルチリモコンが記載されているが、同じ種類の入出力ポイントを持つ監視・制御対象機器のプリセット(既設定)された入出力ポイントを、単一のマンマシンにより一括で制御することについては記載がない。
【０００７】
そのため、大規模なビルや工場の遠隔機器監視・制御を想定した場合、前記特許文献のようにリモコン操作に限定された家庭内での電気機器や情報機器の一括制御や、ネットワーク接続された機器同士の制御では利便性が低い。
また、従来、複数の管理者を必要としている比較的大規模なビルや工場における監視・制御対象機器管理、または複数のビルや工場の群管理を円滑に実現するための監視・制御対象機器管理システムは存在しない。このことが、ネットワーク化に伴うコスト削減の傾向にあるビル管理システムにおいて問題となっている。
【０００８】
さらに、制御装置に接続された複数の監視・制御対象機器管理システムにおいて、接続された監視・制御対象機器のベンダーが異なる場合にはプリセットされている入出力ポイント状態名称が異なり、管理者は同じ入出力ポイントを持つ監視・制御対象機器に対して、ベンダー毎に別々の状態名称を使い分ける必要があり、煩雑なシステム管理が行なわれているという問題がある。
本発明は上記実状に鑑み、ネットワーク化された昨今の機器管理システムにおいても、利便性が高く、高効率かつ低コストであって操作拠点に拘束されない広域管理システムおよびそのプログラムの提供を目的とする。
【課題を解決するための手段】
【０００９】
上記目的を達成すべく、第１の本発明に関わる広域管理システムは、広域に設けられ複数の入出力ポイントを有する監視・制御対象機器および該監視・制御対象機器を監視または制御する機器制御装置が複数、通信ネットワークを介して接続される広域管理システムであって、複数の監視・制御対象機器間に共通して設定される複数の入出力ポイントが記憶される記憶手段と、機器制御装置を介して監視・制御対象機器を監視または制御する制御装置とを備え、制御装置によって、記憶手段に記憶される入出力ポイントのうちから任意の入出力ポイントが選択されるとともに該選択された入出力ポイントを有する複数の監視・制御対象機器を機器制御装置を介して選択された入出力ポイントを用いて一括して監視または制御している。
【００１０】
第２の本発明に関わる広域管理システムのプログラムは、広域に設けられ複数の入出力ポイントを有する監視・制御対象機器および該監視・制御対象機器を監視または制御する機器制御装置が複数、通信ネットワークを介して接続される広域管理システムのプログラムであって、コンピュータに、複数の監視・制御対象機器間に共通して設定される複数の入出力ポイントが記憶手段に記憶される第１手順、記憶手段に記憶される前記入出力ポイントのうちから任意の入出力ポイントが選択される第２手順、および該選択された入出力ポイントを有する複数の監視・制御対象機器を機器制御装置により選択された入出力ポイントを用いて一括して監視または制御する第３手順を実行させている。
【発明の効果】
【００１１】
本発明によれば、利便性が高く、高効率かつ低コストであって操作拠点に拘束されない広域管理システムおよびそのプログラムを実現できる。
【発明を実施するための最良の形態】
【００１２】
以下、本発明の実施形態について添付図面を参照して説明する。
＜＜入退域管理システムＳの全体構成＞＞
図１は、本発明を適用した実施形態の入退域管理システムＳの装置構成図である。
本発明に係る実施形態の入退域管理システムＳは、大規模なビルや工場等の広域を管理するものである。
【００１３】
入退域管理システムＳは、例えばBACnetTM通信インターフェース等の制御通信インターフェースを有し入退域管理システムＳ全体を統括的に制御するサーバ101と、該サーバ101にＬＡＮ(Local Area Network)等の通信ネットワーク109を介して接続されサーバ101に対する入出力装置であるマンマシン装置102と、監視または制御のための複数の入出力ポイントを有する電気錠、自動ドア、センサ等の広域に設備される監視・制御対象機器105と、BACnetTM通信インターフェース等の制御通信インターフェースを有しサーバ101に通信ネットワーク109を介して接続されるとともに共通する入出力ポイントを有する複数の監視・制御対象機器105を該入出力ポイント介して一括して監視また制御するコントローラ104とを備え構成されている。
【００１４】
なお、コントローラ104は、対応する監視・制御対象機器105を個別に監視また制御できることは勿論である。
また、BACnetTMとは、Building Automation and Control Networking protocolの略称であり、米国暖房冷凍空調学会ASHRAEの通信プロトコル規格であり、通信ネットワ−ク109は、有線でもよいし無線でもよく、限定されないことは勿論である。
以下、入退域管理システムＳの各部の構成について詳細に説明する。
【００１５】
＜監視・制御対象機器105＞
監視・制御対象機器105は、その種類によって、「ドア」、「端末」、「接点」の３つの機器種別に分類されている。
図１に示す建物Ａに設備される電気錠Ａ、自動ドアＡ、建物Ｂに設備される電気錠Ｂ、入室管理等に使用されるフラッパーゲートＡ等は「ドア」に分類され、建物Ａ、Ｂにそれぞれ設備されるセンサＡ、Ｂは「接点」に分類され、建物に設備されるカードリーダー(図示せず)等は「端末」に分類される。
【００１６】
なお、センサＡ、センサＢ等のセンサとしては、侵入を検知する赤外線センサ、人などが近づいたことを検知するパッシブセンサ、ガラスの破壊を検知するガラスセンサ、水漏れを検知する漏水センサ、空調の温度等を検知する温度センサ、電気の使い過ぎに対して消費電流を測定し電流の許容量に近づくと警報を鳴らすセンサ、エアコンの効きの低下および消費電力の上昇を防止するために消費電流を測定したり、タイマで前回のフィルタの交換時からの時間を測定してエアコンのフィルタの交換時期を知らせるセンサ、また、防災用のセンサとしては、火災の煙を検知する火災報知器、地震感知センサ、エレベータ非常停止センサ等の各種のセンサを適用することが可能である。
【００１７】
ここで、機器種別として、「ドア」、「端末」、「接点」の他に、物理的な機器ではなく、幾つかのドアやセンサを組み合わせて警戒エリアというものを形成し、ノーループ警報などで監視する「機械警備」があり、本実施形態では、この「機械警備」を、便宜上「機器」として「機器種別」に割り当てている。なお、ノーループ警報とは、例えば、無人の領域を監視する複数のセンサの一つが異常を検知し、異常が発生しない場合の異常を検知しない複数の全センサのループが崩れたことをもって、ノーループと称している。
【００１８】
監視・制御対象機器105は、前記したように、制御のための複数の入出力ポイントを有しており、対応するコントローラ104との信号のやりとりを該入出力ポイントで行ない、コントローラ104によって監視または制御されている。
ここで、入出力ポイントは、「ドア」、「端末」、「接点」、「機械警備」等の機器種別毎に、複数の監視・制御対象機器105に対して共通して設定される制御種別に対応して設けられている。
【００１９】
そして、サーバ101から制御信号がコントローラ104に送信され、コントローラ104によって、複数の監視・制御対象機器105の共通の入出力ポイントを用いて、該複数の監視・制御対象機器105が、一括して監視または制御されるように構成されている。
すなわち、入出力ポイントとは、一括制御できる複数の監視・制御対象機器105の入出力端子を、共通の入出力ポイントとして設定したものである。
従って、一の共通の入出力ポイントをコントローラ104によって監視または制御することにより、該一の共通の入出力ポイントを有する複数の監視・制御対象機器105を一括して監視または制御することが可能になる。
【００２０】
＜サーバ101＞
サーバ101は、入出力、アクセス、通信制御等の各種サービスを提供する側のコンピュータであり、演算装置であるＣＰＵ(Central Processing Unit)、記憶装置である主記憶装置およびＨＤＤ(Hard Disk Drive)等の補助記憶装置を有している。
補助記憶装置には、入退域管理システムＳを稼動させるための入退域管理システムプログラムが格納されており、ＣＰＵが該入退域管理システムプログラムを主記憶装置にロードし実行することにより、入退域管理システムＳが具現化される。
本入退域管理システムＳの一括設定に係るデータベースにおいては、共通する入出力ポイントを有し、一括して監視または制御される複数の監視・制御対象機器105の情報を、前記したように、「ドア」情報・「端末」情報・「接点」情報・「機械警備」情報の４種類の機器種別の情報として分類している。
【００２１】
図７は、入退域管理システムＳが管理する広域に設備される全監視・制御対象機器105を表示する接続機器一覧表示画面Ｇ１を示す図である。
図７に示すように、「ドア」情報としては、建物Ａの電気錠Ａ、自動ドアＡ、および建物Ｂの電気錠Ｂ、フラッパーゲートＡ、および建物ＤのフラッパーゲートＢなどが複数の建物に共通して設定されている。
【００２２】
図７に示す「端末」情報としては、建物ＣのカードリーダＡが設定されるが、「ドア」情報と同様に複数の建物に共通して設定することが可能である。
図７に示す「接点」情報としては、建物ＡのセンサＡ、建物ＢのセンサＢが設定されており、「ドア」情報と同様に、複数の建物に共通して設定することが可能である。
図７に示す「機械警備」情報としては、建物Ａの機械警備Ａ、建物Ｂの機械警備Ｂ、建物Ｃの機械警備Ｃが設定されており、「ドア」情報と同様に、複数の建物に共通して設定することが可能である。
【００２３】
補助記憶装置には、ドア情報・端末情報・接点情報・機械警備情報の４種類の機器種別にそれぞれ対応した図２に示すドア情報データベース111(以下、ドア情報ＤＢ111と称す)、図３に示す端末情報データベース112(以下、端末情報ＤＢ112と称す)、図４に示す接点情報データベース113(以下、接点情報ＤＢ113と称す)、図５に示す機械警備情報データベース114(以下、機械警備情報ＤＢ114と称す)が格納されている。
【００２４】
なお、図２は、「ドア」の機器種別に属するドア情報ＤＢ111のデータフィールド名(１行目)および該データフィールドにプリセットされるデータ(２行目以降)の構成を示す図であり、図３は、「端末」の機器種別に属する端末情報ＤＢ112のデータフィールド名(１行目)および該データフィールドにプリセットされたデータ(２行目以降)の構成を示す図であり、図４は、「接点」の機器種別に属する接点情報ＤＢ113のデータフィールド名(１行目)および該データフィールドにプリセットされるデータ(２行目以降)の構成を示す図であり、図５は、「機械警備」の機器種別に属する機械警備情報ＤＢ114のデータフィールド名(１行目)および該データフィールドにプリセットされたデータ(２行目以降)の構成を示す図である。
【００２５】
図２に示すドア情報ＤＢ111は、データフィールドとして、一括して監視または制御される複数の監視・制御対象機器105毎に共通して設定される入出力ポイント111ａ、ユーザがマンマシン装置102を用いての一括設定が有効（フラグ「１」）か無効（フラグ「０」）かを表す一括設定有効/無効111ｂ、「ドア」の機器種別に任意の数設定される制御種別111c、当該機器種別111d、機器種別111dに係わるＯＮ／ＯＦＦのステータス状態を表す一括用ステータス状態のＯＮ名称111e及び一括用ステータス状態のＯＦＦ名称111fの各データフィールドを有している。
【００２６】
この「ドア」情報と同様に、「ドア」情報以外のその他の機器種別の「端末」情報、「接点」情報、「機械警備」情報は、図３〜図５に示すように、図２に示す機器種別「ドア」情報のデータベースのドア情報ＤＢ111と同一のデータフィールド名(図３〜図５の１行目参照)を有するが、各データベースは、それぞれ異なるプリセットされたデータが記録されている(図３〜図５の２行目以降参照)。
【００２７】
なお、ドア情報ＤＢ111の入出力ポイント111ａ(図２参照)、端末情報ＤＢ112の入出力ポイント112ａ(図３参照)、接点情報ＤＢ113の入出力ポイント113ａ(図４参照)、および機械警備情報ＤＢ114の入出力ポイント114ａ(図５参照)は、入退域管理システムＳの稼動前にシステム設計者により予め、監視・制御対象機器105に対応して設定され、各データベースに記憶されている。
【００２８】
図６(ａ)は、図２に示す機器種別「ドア」のドア情報ＤＢ111の入出力ポイント111ａ「ＥＫ」、制御種別111c「連続開錠／連続施錠」が有する下位のデータを示した図であり、図６(ｂ)は、図２に示す機器種別「ドア」のドア情報ＤＢ111の入出力ポイント111ａ「ＤＲ」、制御種別111c「ノーループ警報確認」が有する下位のデータを示した図であり、図６(ｃ)は、図６(ａ)に示すドア情報ＤＢ111の入出力ポイント111ａ「ＥＫ」、制御種別111c「連続開錠／連続施錠」が有する下位のデータのステータス状態のＯＮ名称111iとステータス状態のＯＦＦ名称111jとが変更された場合を示した図である。
【００２９】
図６(ａ)に示す「連続開錠／連続施錠」(図２参照)の下位のデータは、図１に示す電気錠Ａ、自動ドアＡ等のドアに係わる監視・制御対象機器105を包括する機器種別「ドア」の制御種別111c「連続開錠／連続施錠」に１：１に対応し複数の制御対象機器105を一括して監視または制御する際に使用される入出力ポイント111gと、制御種別111c「連続開錠／連続施錠」の信号の種類を示す信号種別111hと、各信号種別111hに対してＯＮのステータス状態名称を示すＯＮ名称111iおよびＯＦＦのステータス状態名称を示すＯＦＦ名称111jと、各信号種別111hのデータの種類であるデータ種別111kとを有している。
【００３０】
例えば、図６(ａ)において、入出力ポイント111gが「ＥＫ」の信号種別111h「操作」に対するステータス状態名称のＯＮ名称111iは、「開錠」であり、ステータス状態名称のＯＦＦ名称111jは、「施錠」である。
ここで、「ドア」情報以外のその他の機器種別の情報である「端末」情報、「接点」情報、「機械警備」情報は、図６(ａ)に示す機器種別「ドア」のドア情報ＤＢ111の制御種別「連続開錠／連続施錠」の下位のデータと同様なデータフィールド名(図６に示す入出力ポイント111g、信号種別111h、ステータス状態名称のＯＮ名称111i、ステータス状態名称のＯＦＦ名称111j、データ種別111k)を有している。なお、「ドア」情報、「端末」情報、「接点」情報、「機械警備」情報の各データフィールドが有するデータは、それぞれの機器種別毎に異なるものである。
【００３１】
入退域管理システムＳにおいて、サーバ101は、ユーザのマンマシン装置102の操作によりマンマシン装置102から発せられた一括設定要求に応じて、それぞれのデータフィールドにプリセットされているデータを参照および取得し、さらに更新を行ない、該当する複数の監視・制御対象機器105を一括設定し一括監視または一括制御を行なう。
なお、入退域管理システムＳにおける監視・制御対象機器105に対する一括設定の監視または制御は、後記の「操作」の信号種別を持ったものに限定する。何故なら、「操作」以外の信号種別、例えば、図６の信号種別111h「状態」は、図１に示す監視・制御対象機器105の「状態」を示し、図６の信号種別111h「故障・警報」は図１に示す監視・制御対象機器105の「故障または警報」を意味するものであるから、一括設定は意味がないからである。
【００３２】
＜マンマシン装置102＞
図１に示すマンマシン装置102は、サーバ101が提供するサービスを利用する側のクライアントＰＣ(Personal Computer)であり、演算装置のＣＰＵ(Central Processing Unit)、記憶装置のハードディスク装置、ＣＤ−ＲＯＭ装置等を含む本体、キーボード、マウス等の入力装置(図示せず)、表示機能のディスプレイ103等の出力装置等を有し構成されている。
【００３３】
ユーザは、マンマシン装置102を操作し、ディスプレイ103上に後記の入退域管理システムＳの各種画面を表示することで、入退域管理システムＳの各種オペレーションを行なう。
以下、マンマシン装置102は、クライアントＰＣ102と呼称する。
なお、図１においては、１台のクライアントＰＣ102を設けた場合を例示しているが、クライアントＰＣ102は任意の台数を設けてもよいことは勿論である。
【００３４】
＜コントローラ104＞
図１に示すコントローラ104は、対応する各監視・制御対象機器105を電子制御する制御装置である。
コントローラ104は、サーバ101からの制御信号等に応じて制御を行なう制御プログラムが格納されるマイコン(Ｍicrocomputer：マイクロコンピュータ)と、サーバ101からの制御信号、センサ等で検出された検出信号等をマイコンに適合した入力信号に変換する増幅回路、Ａ／Ｄ変換回路等の入力インターフェースと、マイコンからの制御信号の出力信号に応じてそれぞれ対応する電気錠Ａ、電気錠Ｂ、自動ドアＡ、フラッパーゲートＢ等の各アクチュエータを駆動するための駆動回路等の出力インターフェースとを備え構成されている。
【００３５】
各コントローラ104は、サーバ101からの制御信号に応じて、マイコンのＲＯＭ(Read Only Memory)に記憶された制御プログラムに従って、それぞれ対応する電気錠Ａ、Ｂ、自動ドアＡ、フラッパーゲートＡ等の監視・制御対象機器105を制御する。
ここで、コントローラ104が、複数の監視・制御対象機器105を一括設定し監視または制御するに際しては、サーバ101からの制御信号に従って、該複数の監視・制御対象機器105が有する共通する入出力ポイントで信号のやり取りを行ない、該複数の監視・制御対象機器105を一括設定した一括監視または一括制御を行なう。
【００３６】
＜＜入退域管理システムＳの一括設定制御処理＞＞
入退域管理システムＳでは、例えば、火事、地震等の災害が起こった際に入退域管理システムＳが管理する広域のビル、工場内等に在留する人が直ちに避難できるように、監視・制御対象機器105である電気錠Ａ、Ｂ、自動ドアＡ、フラッパーゲートＢを一斉に開錠し解放する一括監視または一括制御を行なうための一括設定制御処理を実行している。
なお、この一括設定制御処理は、前記した如く、入退域管理システムプログラムを実行することにより、行なわれる。
【００３７】
一括設定制御処理は、「操作」の信号種別を持ったものに限定される。何故なら、前記したように、「操作」以外の信号種別は、一括設定の意味がないからである。
図８は、入退域管理システムＳの一括設定制御処理の流れを示すフローチャートである。
以下、入退域管理システムＳの一括設定制御処理について、図８に従って説明する。
【００３８】
(図８のＳ１０１)まず、ユーザは、図１に示すクライアントＰＣ102を操作し、ディスプレイ103に入退域管理システムＳの初期画面(図示せず)を表示して、予め付与されたＩＤとパスワードを入力し、メニュ画面(図示せず)等を経由して、図７に示す接続機器一括設定制御選択画面Ｇ１を表示する。
【００３９】
なお、図７は、入出力ポイントの一括設定制御における監視・制御対象機器105を選択するための接続機器一括設定制御選択画面Ｇ１を示す図である。
接続機器一括設定制御選択画面Ｇ１(図７参照)には、入退域管理システムＳにおいて一括設定制御の対象となる入出力ポイントを持つ全ての監視・制御対象機器105の一覧が表示される。
【００４０】
接続機器一括設定制御選択画面Ｇ１には、ドア情報ＤＢ111(図２参照)、端末情報ＤＢ112(図３参照)、接点情報ＤＢ113(図４参照)、および機械警備情報ＤＢ114(図５参照)のデータのうち一括設定有効フラグ「１」のデータが取得されることにより、入退域管理システムＳが管理する建物名称210のデータ(図示せず)、機器種別220のデータ、機器名称230のデータ(図示せず)が表示されるとともに、これらの各項目のデータ(図７の画面Ｇ１の表の１行に示される機器)を単数または複数の任意の数選択するためのチェックボックス200が表示される。
【００４１】
チェックボックス200には、接続機器一括設定制御選択画面Ｇ１に表示される全機器を選択するための機器全選択チェックボックス201と、接続機器一括設定制御選択画面Ｇ１に表示される各機器を個別(図７の画面Ｇ１の表の１行に示される機器)に選択するための機器個別選択チェックボックス202とを有している。
また、接続機器一括設定制御選択画面Ｇ１には、チェックボックス200で所望のデータを選択した後、一括設定制御を実行するための一括設定ボタン203(図７参照)が表示される。
【００４２】
接続機器一括設定制御選択画面Ｇ１において、ユーザは、表示される機器全部を選択する場合には機器全選択チェックボックス201にマウスでチェックを入れ、または、表示される機器のうち所望の機器を選択する場合には該所望の機器個別選択チェックボックス202にマウスでチェックを入れ、単数または複数の一括設定制御したい監視・制御対象機器105(図１参照)を選択し、一括設定ボタン203を押下する。
(図８のＳ１０２)一括設定ボタン203の押下により、クライアントＰＣ102は、サーバ101に対し、図８のＳ１０１で選択した監視・制御対象機器105に係る一括設定が有効である制御種別、機器種別、一括設定用ステータス状態名称(図２、図３、図４、図５参照)を要求する。
【００４３】
(図８のＳ１０３)クライアントＰＣ102の要求に応じて、サーバ101が、図８のＳ１０１で選択した監視・制御対象機器105に係るドア情報ＤＢ111(図２参照)、端末情報ＤＢ112(図３参照)、接点情報ＤＢ113(図４参照)、および機械警備情報ＤＢ114(図５参照)のそれぞれのデータの一括設定有効／無効111a、112a、113a、114aの各フィールドをリードし、一括設定を行なうことが有効である一括設定有効のフラグが「１」であるレコードの制御種別111c、112c、113c、114c、機器種別111d、112d、113d、114d、一括設定用ステータス状態名称のＯＮ名称111e、112e、113e、114e、ＯＦＦ名称111ｆ、112ｆ、113ｆ、114ｆをクライアントＰＣ102に提供する。
【００４４】
なお、監視・制御対象機器105の一括設定制御関しては、図６(ａ)に示す「状態」、「操作」、「故障・警報」の３つの信号種別111hのうち、「操作」のみが対象となっており、図６(ａ)に示す「操作」の部分のみのデータをそれぞれ一括設定用のテーブルにて別途のフィールドを持つ構成とすることも可能である。
(図８のＳ１０４)クライアントＰＣ102は、図８のＳ１０３でサーバ101により提供される図８のＳ１０１でユーザが選択した一括設定が有効である機器種別、制御種別、ステータス状態の各データが示される図９に示す入出力一括設定画面Ｇ２をディスプレイ103(図１参照)に表示する。
【００４５】
(図８のＳ１０５)ユーザは、入出力ポイント一括設定画面Ｇ２(図９参照)において、一括設定制御したい入出力ポイントを有する監視・制御対象機器105の機器種別を、機器種別選択プルダウンメニュ301で選択する。なお、図９では、機器種別「ドア」を選択した場合を示している。
(図８のＳ１０６)ユーザは、入出力一括設定画面Ｇ２(図９参照)において、一括設定したい入出力ポイントの制御種別を制御種別選択プルダウンメニュ302で選択する。なお、図９では、制御種別「一時開錠」を選択した場合を示している。
【００４６】
(図８のＳ１０７)ユーザは、入出力一括設定画面Ｇ２(図９参照)において、一括設定したい入出力ポイントのステータス状態を、ステータス状態選択プルダウンメニュ303で選択する。なお、図９では、ステータス状態「ＯＮ」を選択した場合を示している。
(図８のＳ１０８)ユーザは、図８のＳ１０５〜Ｓ１０７で選択した監視・制御対象機器105に係る機器種別の制御種別のステータス状態を一括設定するために、入出力一括設定画面Ｇ２(図９参照)における設定ボタン304を押下する。
【００４７】
(図８のＳ１０９)クライアントＰＣ102は、図８のＳ１０５〜Ｓ１０７で選択された機器種別、制御種別、ステータス状態をサーバ101に送信する。図９に示す入出力一括設定画面Ｇ２の例では、機器種別「ドア」、制御種別「一時開錠」、ステータス状態「ＯＮ」のそれぞれのデータをサーバ101に送信することになる。
(図８のＳ１１０)サーバ101は、クライアントＰＣ102から送信された機器種別、制御種別の入出力ポイント情報を、ドア情報ＤＢ111(図２参照)、端末情報ＤＢ112(図３参照)、接点情報ＤＢ113(図４参照)、および機械警備情報ＤＢ114(図５参照)を参照し、取得する。
図９に示す入出力ポイント一括設定画面Ｇ２の例では、サーバ101は、(図８のＳ１０５)で選択された機器種別「ドア」、図８のＳ１０６で選択された制御種別「一時開錠」でドア情報ＤＢ111を参照し、機器種別「ドア」、制御種別「一時開錠」の入出力ポイント111ａの情報を取得する。例えば、図２に示す機器種別「ドア」の制御種別「連続開錠／連続施錠」の入出力ポイント111ａの情報は、「EK」である。
【００４８】
(図８のＳ１１１)サーバ101は、図８のＳ１１０で取得した入出力ポイント情報を、クライアントＰＣ102のディスプレイ103に表示した入出力ポイント一括設定画面Ｇ２(図９参照)により取得した一括設定用ステータス状態(図９に示す入出力一括設定画面Ｇ２のステータス状態選択プルダウンメニュ303「ＯＮ」参照)で、図１に示す通信ネットワ−ク109を介して、コントローラ104へ送信する。
【００４９】
(図８のＳ１１２)図１に示すコントローラ104は、入出力ポイント一括設定画面Ｇ２(図９参照)により取得した一括設定用ステータス状態(図９に示す入出力一括設定画面Ｇ２のステータス状態選択プルダウンメニュ303「ＯＮ」参照)で、該当する図８のＳ１１０で取得した入出力ポイントを有する複数の監視・制御対象機器105を一括制御する。
以上が、入退域管理システムＳの一括設定制御処理である。
【００５０】
この一括設定制御処理により、図９に示す入出力ポイント一括設定画面Ｇ２において、ある機器種別(図９の機器種別選択プルダウンメニュ301「ドア」参照)の一つの制御種別(図９の制御種別選択プルダウンメニュ302「一時開錠」参照)に対して、ＯＮまたはＯＦＦのステータス状態(図９のステータス状態選択プルダウンメニュ303「ＯＮ」参照)を、選択した機器種別の接続機器一覧表示画面Ｇ１(図７参照)で選択した複数の監視・制御対象機器105に対して一括設定し監視または制御できることになる。
【００５１】
例えば、図９に示す例で説明すると、図７に示す接続機器一覧表示画面Ｇ１には機器種別220「ドア」である監視・制御対象機器105の建物Ａの電気錠Ａ、建物Ａの自動ドアＡ、建物Ｂの電気錠Ｂ(図１参照)の３つを図８のＳ１０１で選択した場合、図９の入出力ポイント一括設定画面Ｇ２の機器種別選択プルダウンメニュ301で選択した「ドア」の建物Ａの電気錠Ａ、建物Ａの自動ドアＡ、建物Ｂの電気錠Ｂのそれぞれの制御種別が「一時開錠」(図９の制御種別選択プルダウンメニュ302「一時開錠」参照)が、ステータス状態「ＯＮ」(図９のステータス状態選択プルダウンメニュ303「ＯＮ」参照)に一括して「解除」(図２の一括用ステータス状態名称のＯＮ名称111e参照)設定し制御される。これにより、建物Ａ、Ｂ内に居る人は、地震等の災害が発生した場合、安全に建物Ａ、Ｂの外に避難することができる。
【００５２】
こうして、図１に示す監視・制御対象機器105を種類別に包含する機器種別(ドア、機械警備、端末、接点)の監視・制御対象機器105に共通する制御種別のＯＮまたはＯＦＦのステータス状態を、接続機器一覧表示画面Ｇ１(図７参照)と入出力一括設定画面Ｇ２(図９参照)で選択し設定することにより、共通する入出力ポイントを有する制御対象機器105を、選択したステータス状態の「ＯＮ」または「ＯＦＦ」に一括設定し一括監視または一括制御できることになる。
【００５３】
＜＜入退域管理システムＳのステータス状態名称変更処理＞＞
図１に示す監視・制御対象機器105のベンダーが異なる場合、プリセットされている入出力ポイントのステータス状態名称が対応する個別の監視・制御対象機器105に相応しくなく、表現が不適切な場合がある。
そこで、入退域管理システムＳでは、ステータス状態名称を個別の監視・制御対象機器105に相応しい適切な名称に変更するステータス状態名称変更処理を行なっている。
以下、図１０に従って、ステータス状態名称変更処理について説明する。なお、図１０は、入退域管理システムＳのステータス状態名称変更処理の流れを示すフローチャートである。
【００５４】
この入退域管理システムＳのステータス状態名称変更処理は、前記したように、入退域管理システムプログラムを実行することにより、行なわれる。
(図１０のＳ２０１)まず、ユーザが、図１に示すクライアントＰＣ102を操作して、入退域管理システムＳのメニュ画面(図示せず)等を介して、変更したいステータス状態名称 (図６(ａ)のステータス状態名称のＯＮ名称111i、ＯＦＦ名称111j参照)のデータが表示される図１１に示すステータス状態名称変更初期画面Ｇ３を表示する。
【００５５】
なお、ステータス状態名称変更初期画面Ｇ３(図１１参照)には、各機器種別(図２〜図５参照)が有する制御種別401、入出力ポイント402、信号種別(図６(ａ)の信号種別111h「操作」参照)403、該信号種別403の現在の状態404(図６(ａ)のステータス状態名称のＯＮ名称111i参照)が表示されるとともに、変更設定する際に押下する設定ボタン405、変更設定を行なわない際に押下するクリアボタン406が表示される。
なお、図１１に示すステータス状態名称変更初期画面Ｇ３は、図６(ａ)に示す連続開錠／連続施錠の２行目のデータを選択した場合を示している。
このステータス状態名称変更初期画面Ｇ３(図１１参照)において、設定ボタン405を押下する。
【００５６】
(図１０のＳ２０２)ステータス状態名称を変更するためのステータス状態名称変更ダイアログボックスＧ４(図１２参照)が、クライアントＰＣ102のディスプレイ103(図１参照)に表示される。なお、図１２は、ステータス状態名称を変更するためのステータス状態名称変更ダイアログボックスＧ４の１例を示した図である。
ステータス状態名称変更ダイアログボックスＧ４(図１２参照)には、選択した制御種別名500、データベース、テーブル等の記憶手段に既設定されるステータス状態が表示されるＯＮ名称入力フィールド501、ＯＦＦ名称入力フィールド502が表示されるとともに、ＯＮ名称入力フィールド501、ＯＦＦ名称入力フィールド502での名称変更を確定する際に押下する設定ボタン503、ステータス状態名称変更を取り止める際に押下するクリアボタン504が表示される。
【００５７】
ユーザは、このステータス状態名称変更ダイアログボックスＧ４(図１２参照)において、ＯＮ名称入力フィールド501、ＯＦＦ名称入力フィールド502に所望の名称の文字列をテキスト入力し、設定ボタン503を押下する。
なお、図１３は、ステータス状態名称変更後のステータス状態名称変更ダイアログボックスＧ４の１例を示す図である。
【００５８】
(図１０のＳ２０３)クライアントＰＣ102から、図１０のＳ２０２で入力された情報が、サーバ101に送信され、入出力ポイント情報および信号種別をもとに、該当するステータス状態名称のＯＮ名称、ＯＦＦ名称(図６(ａ)に示すステータス状態名称のＯＮ名称111i、ＯＦＦ名称111j参照)を変更し更新する(変更した後の図６(ｃ)に示す変更後のステータス状態名称のＯＮ名称111i、ＯＦＦ名称111j参照)。
以上が、入退域管理システムＳのステータス状態名称変更処理である。
【００５９】
＜＜作用効果＞＞
上記構成によれば、通信ネットワ−ク109上に同一の通信手段によって複数の異なる監視・制御対象機器105がコントローラ104等の制御装置を介して接続されている機器管理システムにおいて、同じ入出力ポイントにより監視・制御されている監視・制御対象機器の任意の入出力ポイント状態を一括で監視または制御することで比較的大規模なビルや工場における監視・制御対象機器管理、または複数のビルや工場の群管理の高効率化、低コスト化が実現される。
【００６０】
すなわち、広域のビルや工場において、マルチベンダー化やネットワーク化が進行し複雑に絡み合った設備機器を、操作拠点に拘束されることなく効率的に監視または制御することが可能である。
従って、利便性が高く低コストな監視・制御対象機器管理システムを実現できる。
また、通信ネットワ−ク109上に同一の通信手段によって複数の異なる監視・制御対象機器105がコントローラ104等の制御装置を介して接続されている場合において、同じ入出力ポイントを持つ監視・制御対象機器105の入出力ポイント状態名称を変更することで、プリセットされている入出力ポイント状態名称に依存することなく管理者が自由に入出力ポイント名称を設定することが可能である。
【００６１】
これにより、ベンダーが異なる場合などに同じ入出力ポイントを持つ監視・制御対象機器105の入出力ポイント状態名称に異なる名称が混在する状況を回避し、管理を一元化することが可能となる。
すなわち、コントローラ104等の制御装置に接続された監視・制御対象機器105のプリセットされている入出力ポイントの状態名称が該監視・制御対象機器105に相応しくない場合、入出力ポイントの状態名称を相応しい名称に変更可能であり、使い勝手が良好となり、管理し易くなる。
【００６２】
従って、操作拠点を選ばない高効率および低コストの機器管理システムを実現するため、その利便性は高く、ネットワーク化された昨今のマルチベンダーの機器管理システムにおいても、有効に活用可能であり、その貢献度は高い。
なお、本実施形態では、ビル、工場等を例示して説明したが、広域であれば、ビル、工場等に限定されず、幅広く適用可能である。
【００６３】
また、本実施形態では、データベースとして、ドア情報ＤＢ111、端末情報ＤＢ112、接点情報ＤＢ113、機械警備情報ＤＢ114を用いた場合を例示して説明したが、これらのデータベースを一つのデータベースとして構成してもよいし、データベースに代替して適宜テーブルを用いてシステムを構成してもよく、記憶手段は、例示したものに限定されないことは勿論である。
また、サーバ101として、データベースサーバを用いてもよく、サーバの態様は限定されない。
【図面の簡単な説明】
【００６４】
【図１】本発明に関わる実施形態の入退域管理システムの装置構成を示す装置構成図である。
【図２】実施形態の「ドア」の機器種別に属するドア情報ＤＢのデータフィールド名および該データフィールドにプリセットされるデータの構成を示す図である。
【図３】実施形態の「端末」の機器種別に属する端末情報ＤＢのデータフィールド名および該データフィールドにプリセットされるデータの構成を示す図である。
【図４】実施形態の「接点」の機器種別に属する接点情報ＤＢのデータフィールド名および該データフィールドにプリセットされるデータの構成を示す図である。
【図５】実施形態の「機械警備」の機器種別に属する機械警備情報ＤＢのデータフィールド名および該データフィールドにプリセットされるデータの構成を示す図である。
【図６】(ａ)は、実施形態のドア情報ＤＢの入出力ポイント「ＥＫ」、制御種別「連続開錠／連続施錠」が有する下位のデータを示した図であり、(ｂ)は、実施形態のドア情報ＤＢの入出力ポイント「ＤＲ」、制御種別「ノーループ警報確認」が有する下位のデータを示した図であり、(ｃ)は、(ａ)に示ドア情報ＤＢの入出力ポイント「ＥＫ」、制御種別「連続開錠／連続施錠」が有する下位のデータのステータス状態のＯＮ名称とステータス状態のＯＦＦ名称とを変更した例を示した図である。
【図７】実施形態の入退域管理システムが管理する広域に設備される全制御対象機器を表示する接続機器一覧表示画面を示す図である。
【図８】実施形態の入退域管理システムの一括設定制御処理の流れを示すフローチャートである。
【図９】実施形態の入退域管理システムの入出力ポイント一括設定画面を示す図である。
【図１０】実施形態の入退域管理システムのステータス状態名称変更処理の流れを示すフローチャートである。
【図１１】実施形態の入退域管理システムのステータス状態名称変更初期画面を示す図である。
【図１２】実施形態の入退域管理システムのステータス状態名称を変更するためのステータス状態名称変更ダイアログボックスの１例を示した図である。
【図１３】実施形態の入退域管理システムのステータス状態名称変更後のステータス状態名称変更ダイアログボックスの１例を示す図である。
【符号の説明】
【００６５】
101    サーバ(制御装置、コンピュータ)
104    コントローラ(機器制御装置)
105    監視・制御対象機器
109    通信ネットワ−ク
111    ドア情報データベース(記憶手段)
112    端末情報データベース(記憶手段)
113    接点情報データベース(記憶手段)
114    機械警備情報データベース(記憶手段)
Ａ      建物(広域)
Ｂ      建物(広域)
Ｓ      入退域管理システム(広域管理システム)
【図１】
2010015321.tif 000003
【図２】
2010015321.tif 000004
【図３】
2010015321.tif 000005
【図４】
2010015321.tif 000006
【図５】
2010015321.tif 000007
【図６】
2010015321.tif 000008
【図７】
2010015321.tif 000009
【図８】
2010015321.tif 000010
【図９】
2010015321.tif 000011
【図１０】
2010015321.tif 000012
【図１１】
2010015321.tif 000013
【図１２】
2010015321.tif 000014
【図１３】
2010015321.tif 000015